(57)【要約】【課題】木造住宅において、簡単かつ低コストな方法で、筋交を設けることなく木造住宅の耐震性を向上させる。【解決手段】台形状の本体１と、本体の裏面に、互いに間隔をあけて起立して設けられた一対の垂直な縦材拘束壁２、３と、本体の底辺に本体の裏面側に起立して設けられた垂直な横材拘束壁４を備える。一対の縦材拘束壁の間に縦材５が嵌め込まれ、一対の縦材拘束壁２、３の下端および横材拘束壁４の間に横材６が配置されかつ横材拘束壁４が横材６の対応する面に当接した状態で、縦材および横材に固定される。本体には第１の貫通穴７ａ〜７ｄが形成され、本体を横材に固定するためのボルト８が通される。縦材拘束壁２、３には第２の貫通穴９ａ、９ｂ；１０ａ、１０ｂが形成され、縦材拘束壁を縦材に固定するためのボルト１１が通される。【選択図】図２
2005009292.tif 000002
【特許請求の範囲】
【請求項１】
木造住宅における縦材および横材の接合部に固定して使用する補強金物であって、
実質上台形または実質上三角形の形状を有する平板状本体と、
前記本体の裏面に、互いに縦材の厚さに対応する間隔をあけて起立して設けられた一対の垂直な縦材拘束壁と、
前記本体の底辺に前記本体の裏面側に起立して設けられた垂直な横材拘束壁と、を備え、
前記一対の縦材拘束壁は、その前記本体の裏面上への射影が、前記本体の底辺に対して垂直方向に前記本体の底辺から少なくとも横材の厚さに対応する間隔をあけてのびており、前記一対の縦材拘束壁の間に縦材が嵌め込まれるとともに、前記一対の縦材拘束壁の下端および前記横材拘束壁の間に横材が配置されかつ前記横材拘束壁が前記横材の対応する面に当接した状態で、前記横材および前記縦材に固定されるようになっており、前記本体の前記横材を被う領域には、１つの、または前記横材の長さ方向に間隔をあけて少なくとも２つの第１の貫通穴が形成され、前記第１の貫通穴には、前記本体を前記横材に固定するためのボルトが通されるようになっており、前記一対の縦材拘束壁には、それぞれ、１つの、または前記縦材の長さ方向に間隔をあけて少なくとも２つの第２の貫通穴が、前記一対の縦材拘束壁の相互間で整合するように形成され、前記第２の貫通穴には、前記一対の縦材拘束壁を前記縦材に固定するためのボルトが通されるようになっていることを特徴とする木造住宅用補強金物。
【請求項２】
単一の金属板を折り曲げて形成したものからなり、前記金属板は、
前記実質上台形または前記実質上三角形の形状の第１の部分と、
前記第１の部分の一対の斜辺のそれぞれに接続され、関係する前記斜辺に沿って前記第１の部分の裏面に重なり合うように折り曲げられる第２の部分と、
前記第２の部分の外縁に接続され、前記第２の部分が折り曲げられたとき、関係する前記第２の部分の外縁に沿って前記第１の部分の裏面から起立するように折り曲げられて前記縦材拘束壁を形成する第３の部分と、
前記第１の部分の底辺に接続され、前記底辺に沿って前記第１の部分の裏面から起立するように折り曲げられて前記横材拘束壁を形成する第４の部分とを有し、
前記第１の部分および前記第１の部分の裏面に重なり合うように折り曲げられた第２の部分が前記本体を形成するようになっていることを特徴とする請求項１に記載の木造住宅用補強金具。
【請求項３】
木造住宅の角部分であって、縦材と直交する２本の横材との接合部に固定して使用する補強金物であって、
実質上台形または実質上三角形の形状を有し、その台形の上底から下底に下した垂線またはその三角形の頂点から底辺に下した垂線に沿って直角に折り曲げられた平板状の本体と、
前記本体の一方の折り片の内側面に、他方の折り片から縦材の厚さに対応する間隔をあけて、前記他方の折り片に平行に起立して設けられた垂直な縦材拘束壁と、
前記本体の両方の折り片のそれぞれの底辺に、前記折り片の内側面側に起立して設けられた垂直な横材拘束壁とを備え、
前記縦材拘束壁は、前記本体の底辺から少なくとも横材の厚さに対応する間隔をあけて配置され、前記本体は、木造住宅の角部分において、前記一方の折り片が直交する２本の横材の一方と縦材によって形成される平面内にあり、前記他方の折り片が直交する２本の横材の他方と縦材によって形成される平面内にあるように配置され、前記本体の他方の折り片および前記縦材拘束壁の間に前記縦材が嵌め込まれ、前記一方および他方の折り片のそれぞれの前記横材拘束壁および前記縦材拘束壁の下端の間に関係する前記横材が配置され、前記横材拘束壁が前記関係する横材の対応する面に当接した状態で、前記横材および前記縦材に固定されるようになっており、前記本体の両方の折り片のそれぞれには、前記横材を被う領域に、１つの、または前記横材の長さ方向に間隔をあけて少なくとも２つの第１の貫通穴が形成され、前記第１の貫通穴には、前記本体を前記横材に固定するためのボルトが通されるようになっており、前記縦材拘束壁には、１つの、または前記縦材の長さ方向に間隔をあけて少なくとも２つの第２の貫通穴が形成され、前記本体の他方の折り片には、前記縦材拘束壁の第２の貫通穴に整合する第３の貫通穴が形成され、対をなす前記第２および第３の貫通穴には、前記本体を前記縦材に固定するためのボルトが通されるようになっていることを特徴とする木造住宅用補強金物。
【請求項４】
単一の金属板を折り曲げて形成したものからなり、前記金属板は、
前記実質上台形または前記実質上三角形の形状を有し、その台形の上底から下底に下した垂線に沿って、またはその三角形の頂点から底辺に下した垂線に沿って直角に折り曲げられる第１の部分と、
前記第１の部分における前記垂線に関する一方の折り部分の斜辺に接続し、前記斜辺に沿って前記一方の折り部分の内側面に重なり合うように折り曲げられる第２の部分と、
前記第１の部分における前記垂線に関する他方の折り部分の斜辺に接続し、前記斜辺に沿って前記他方の折り部分の内側面に重なり合うように折り曲げられる第３の部分と、
前記第２の部分の外縁に接続し、前記第２の部分が折り曲げられたとき、関係する前記外縁に沿って、前記他方の折り部分の内側面から起立するように折り曲げられて前記縦材拘束壁を形成する第４の部分と、
前記第１の部分の両方の折り部分のそれぞれの底辺に接続し、前記折り部分の底辺に沿って前記折り部分の内側面から起立するように折り曲げられて前記横材拘束壁を形成する第５の部分とを有し、
前記垂線に沿って折り曲げられた第１の部分、および前記一方の折り部分の内側面に折り曲げられた第２の部分および前記他方の折り部分の内側面に折り曲げられた第３の部分が前記本体を形成するようになっていることを特徴とする請求項３に記載の木造住宅用補強金具。
【請求項５】
木造住宅における、縦材と直交する２本の横材との接合部に固定して使用する補強金物であって、
実質上台形または実質上三角形の形状を有し、その台形の上底から下底に下した垂線またはその三角形の頂点から底辺に下した垂線に沿って直角に折り曲げられた平板状の本体と、
前記本体の２つの折り片のうちの少なくとも一方に、前記垂線に沿って、前記本体の２つの折り片の少なくとも一方の外側面側に起立して設けられた垂直な縦材拘束壁と、
前記本体の両方の折り片のそれぞれの底辺に、前記折り片の外側面側に起立して設けられた垂直な横材拘束壁とを備え、
前記縦材拘束壁は、前記折り片の底辺から横材の厚さに対応する間隔をあけて配置され、前記本体は、前記直交する２本の横材と縦材との接合部において、前記一方の折り片が直交する２本の横材の一方と縦材によって形成される平面内にあり、前記他方の折り片が直交する２本の横材の他方と縦材によって形成される平面内にあるように配置され、前記横材が対応する前記折り片の前記横材拘束壁および前記縦材拘束壁の下端との間に配置されるとともに、前記横材拘束壁が前記横材の対応する面に当接し、前記縦材拘束壁が前記縦材の対応する面に当接した状態で、前記横材および前記縦材に固定されるようになっており、前記本体の両方の折り片のそれぞれには、前記横材を被う領域に、１つの、または前記横材の長さ方向に間隔をあけて少なくとも２つの第１の貫通穴が形成され、前記第１の貫通穴には、前記本体を前記横材に固定するためのボルトが通されるようになっており、前記縦材拘束壁には、１つの、または前記縦材の長さ方向に間隔をあけて少なくとも２つの第２の貫通穴が形成され、前記第２の貫通穴には、前記本体を前記縦材に固定するためのボルトが通されるようになっていることを特徴とする木造住宅用補強金物。
【請求項６】
単一の金属板を折り曲げて形成したものからなり、前記金属板は、
前記実質上台形または前記実質上三角形の形状を有し、その台形の上底から下底に下した垂線に沿って、またはその三角形の頂点から底辺に下した垂線に沿って直角に折り曲げられる第１の部分と、
前記第１の部分における前記垂線に関する一方の折り部分の斜辺に接続し、前記斜辺に沿って前記一方の折り部分の外側面に重なり合うように折り曲げられる第２の部分と、
前記第１の部分における前記垂線に関する他方の折り部分の斜辺に接続し、前記斜辺に沿って前記他方の折り部分の外側面に重なり合うように折り曲げられる第３の部分と、
前記第２の部分および前記第３の部分の少なくとも一方の外縁に接続し、前記第２の部分および前記第３の部分の少なくとも一方が折り曲げられたとき、関係する前記外縁に沿って、重なり合わされた前記折り部分の外側面から起立するように折り曲げられて前記縦材拘束壁を形成する第４の部分と、
前記第１の部分の両方の折り部分のそれぞれの底辺に接続し、前記折り部分の底辺に沿って前記折り部分の外側面から起立するように折り曲げられて前記横材拘束壁を形成する第５の部分とを有し、
前記垂線に沿って折り曲げられた第１の部分、および前記一方の折り部分の外側面に折り曲げられた第２の部分および前記他方の折り部分の外側面に折り曲げられた第３の部分が前記本体を形成するようになっていることを特徴とする請求項５に記載の木造住宅用補強金具。
【請求項７】
木造住宅における直交する２本の材木の接合部に固定して使用する補強金物であって、
実質上直角三角形の形状を有する平板状本体と、
前記本体の底辺に前記本体の裏面側に起立して設けられた第１の固定壁と、
前記本体の底辺に直交する辺に前記本体の裏面側に起立して設けられた第２の固定壁とを備え、
前記本体の斜辺が直交する２本の材木の間に筋交状に配置されるとともに、前記第１の固定壁の内側面が前記２本の材木の一方の一側面に当接し、かつ前記第２の固定壁の外側面が前記２本の材木の他方の一側面に当接した状態で、前記２本の材木に固定されるようになっており、前記本体の前記一方の材木を被う領域には、１つの、または前記一方の材木の長さ方向に間隔をあけて少なくとも２つの第１の貫通穴が形成され、前記第１の貫通穴には、前記本体を前記一方の材木に固定するためのボルトが通されるようになっており、前記第２の固定壁には、１つの、または前記他方の材木の長さ方向に間隔をあけて少なくとも２つの第２の貫通穴が形成され、前記第２の貫通穴には、前記第２の固定壁を前記他方の材木に固定するためのボルトが通されるようになっていることを特徴とする木造住宅用補強金物。
【発明の詳細な説明】
【技術分野】
【０００１】
本発明は、木造住宅における横材と縦材との接合部に固定して使用する補強金物に関する。
【背景技術】
【０００２】
木造住宅においては、強度を高めるため、土台と柱、または横架材と通し柱等、横材および縦材によって形成された枠構造の対角線上に筋交が取付けられており、この筋交による制約を受けて広い窓を多数設けることはできなかった。
【０００３】
そして、木造住宅の強度を低下させずに筋交を取り去り、木造住宅に多数の広い窓を設ける１つの手段として、例えば、図９に示されるようなものがあった。この手段によれば、アングル部材８０と、このアングル部材８０の内側に傾斜してのび、アングル部材８０の両端を接合する連結部材８１とからなる補強金具８２（特許文献１参照。）を用意し、この補強金具８２を、縦材８６および横材８７によって形成された枠構造の一対の対向する角に内側から釘８３によって固定し、さらに、枠構造における縦材８６と横材８７の接合部を補強すべく、パネル８５を、釘によって、補強金具８２の固定された部分を被覆するように枠構造に取り付け、２つのパネル８５の間に形成された空間８８内に窓が設けられるようになっている。こうして、筋交の代わりに、補強金具８２とパネル８５の組み合わせにより枠構造を補強することがなされていた。
【０００４】
しかしながら、この手段によれば、補強金物を固定する釘８３はいずれも、枠構造によって囲まれた平面に対し平行に配置されるので、地震発生時の横揺れに起因する枠構造の変形によって補強金具８２を枠構造に固定している釘８３が容易に外れ、補強金具８２は枠構造から簡単に脱落し、接合されていた縦材８６および横材８７は簡単に分離されてしまう。すなわち、この手段は、木造住宅の枠構造をなす縦材８６と横材８７との接合部に対して筋交を設けた場合と同程度の強度を付与するが、地震発生時における木造住宅の耐震性に配慮したものではなく、よって、この手段では、地震の発生時に、縦材８６と横材８７との接合部において十分な強度を確保し、木造住宅の倒壊を防止することはできなかった。
【０００５】
【特許文献１】実用新案登録第３０４６７０８号公報
【発明の開示】
【発明が解決しようとする課題】
【０００６】
したがって、本発明の課題は、木造住宅において、簡単かつ低コストな方法で、筋交を設けることなく木造住宅の耐震性を向上させることにある。
【課題を解決するための手段】
【０００７】
上記課題を解決するため、第１発明は、木造住宅における縦材および横材の接合部に固定して使用する補強金物であって、実質上台形または実質上三角形の形状を有する平板状本体と、前記本体の裏面に、互いに縦材の厚さに対応する間隔をあけて起立して設けられた一対の垂直な縦材拘束壁と、前記本体の底辺に前記本体の裏面側に起立して設けられた垂直な横材拘束壁とを備え、前記一対の縦材拘束壁は、その前記本体の裏面上への射影が、前記本体の底辺に対して垂直方向に前記本体の底辺から少なくとも横材の厚さに対応する間隔をあけてのびており、前記一対の縦材拘束壁の間に縦材が嵌め込まれるとともに、前記一対の縦材拘束壁の下端および前記横材拘束壁の間に横材が配置されかつ前記横材拘束壁が前記横材の対応する面に当接した状態で、前記横材および前記縦材に固定されるようになっており、前記本体の前記横材を被う領域には、１つの、または前記横材の長さ方向に間隔をあけて少なくとも２つの第１の貫通穴が形成され、前記第１の貫通穴には、前記本体を前記横材に固定するためのボルトが通されるようになっており、前記一対の縦材拘束壁には、それぞれ、１つの、または前記縦材の長さ方向に間隔をあけて少なくとも２つの第２の貫通穴が、前記一対の縦材拘束壁の相互間で整合するように形成され、前記第２の貫通穴には、前記一対の縦材拘束壁を前記縦材に固定するためのボルトが通されるようになっていることを特徴とする木造住宅用補強金物を構成したものである。
【０００８】
第１発明の構成において、好ましくは、前記木造住宅用補強金物は、単一の金属板を折り曲げて形成したものからなり、前記金属板は、前記実質上台形または前記実質上三角形の形状の第１の部分と、前記第１の部分の一対の斜辺のそれぞれに接続され、関係する前記斜辺に沿って前記第１の部分の裏面に重なり合うように折り曲げられる第２の部分と、前記第２の部分の外縁に接続され、前記第２の部分が折り曲げられたとき、関係する前記第２の部分の外縁に沿って前記第１の部分の裏面から起立するように折り曲げられて前記縦材拘束壁を形成する第３の部分と、前記第１の部分の底辺に接続され、前記底辺に沿って前記第１の部分の裏面から起立するように折り曲げられて前記横材拘束壁を形成する第４の部分とを有し、前記第１の部分および前記第１の部分の裏面に重なり合うように折り曲げられた第２の部分が前記本体を形成するようになっている。
【０００９】
上記課題を解決するため、また、第２発明は、木造住宅の角部分であって、縦材と直交する２本の横材との接合部に固定して使用する補強金物であって、実質上台形または実質上三角形の形状を有し、その台形の上底から下底に下した垂線またはその三角形の頂点から底辺に下した垂線に沿って直角に折り曲げられた平板状の本体と、前記本体の一方の折り片の内側面に、他方の折り片から縦材の厚さに対応する間隔をあけて、前記他方の折り片に平行に起立して設けられた垂直な縦材拘束壁と、前記本体の両方の折り片のそれぞれの底辺に、前記折り片の内側面側に起立して設けられた垂直な横材拘束壁とを備え、前記縦材拘束壁は、前記本体の底辺から少なくとも横材の厚さに対応する間隔をあけて配置され、前記本体は、木造住宅の角部分において、前記一方の折り片が直交する２本の横材の一方と縦材によって形成される平面内にあり、前記他方の折り片が直交する２本の横材の他方と縦材によって形成される平面内にあるように配置され、前記本体の他方の折り片および前記縦材拘束壁の間に前記縦材が嵌め込まれ、前記一方および他方の折り片のそれぞれの前記横材拘束壁および前記縦材拘束壁の下端の間に関係する前記横材が配置され、前記横材拘束壁が前記関係する横材の対応する面に当接した状態で、前記横材および前記縦材に固定されるようになっており、前記本体の両方の折り片のそれぞれには、前記横材を被う領域に、１つの、または前記横材の長さ方向に間隔をあけて少なくとも２つの第１の貫通穴が形成され、前記第１の貫通穴には、前記本体を前記横材に固定するためのボルトが通されるようになっており、前記縦材拘束壁には、１つのまたは前記縦材の長さ方向に間隔をあけて少なくとも２つの第２の貫通穴が形成され、前記本体の他方の折り片には、前記縦材拘束壁の第２の貫通穴に整合する第３の貫通穴が形成され、対をなす前記第２および第３の貫通穴には、前記本体を前記縦材に固定するためのボルトが通されるようになっていることを特徴とする木造住宅用補強金物を構成したものである。
【００１０】
第２発明の構成において、好ましくは、前記木造住宅用補強金物は、単一の金属板を折り曲げて形成したものからなり、前記金属板は、前記実質上台形または前記実質上三角形の形状を有し、その台形の上底から下底に下した垂線に沿って、またはその三角形の頂点から底辺に下した垂線に沿って直角に折り曲げられる第１の部分と、前記第１の部分における前記垂線に関する一方の折り部分の斜辺に接続し、前記斜辺に沿って前記一方の折り部分の内側面に重なり合うように折り曲げられる第２の部分と、前記第１の部分における前記垂線に関する他方の折り部分の斜辺に接続し、前記斜辺に沿って前記他方の折り部分の内側面に重なり合うように折り曲げられる第３の部分と、前記第２の部分の外縁に接続し、前記第２の部分が折り曲げられたとき、関係する前記外縁に沿って、前記他方の折り部分の内側面から起立するように折り曲げられて前記縦材拘束壁を形成する第４の部分と、前記第１の部分の両方の折り部分のそれぞれの底辺に接続し、前記折り部分の底辺に沿って前記折り部分の内側面から起立するように折り曲げられて前記横材拘束壁を形成する第５の部分とを有し、前記垂線に沿って折り曲げられた第１の部分および前記一方の折り部分の内側面に折り曲げられた第２の部分および前記他方の折り部分の内側面に折り曲げられた第３の部分が前記本体を形成するようになっている。
【００１１】
また、上記課題を解決するため、第３発明は、木造住宅における、縦材と直交する２本の横材との接合部に固定して使用する補強金物であって、実質上台形または実質上三角形の形状を有し、その台形の上底から下底に下した垂線またはその三角形の頂点から底辺に下した垂線に沿って直角に折り曲げられた平板状の本体と、前記本体の２つの折り片のうちの少なくとも一方に、前記垂線に沿って、前記本体の２つの折り片の少なくとも一方の外側面側に起立して設けられた垂直な縦材拘束壁と、前記本体の両方の折り片のそれぞれの底辺に、前記折り片の外側面側に起立して設けられた垂直な横材拘束壁とを備え、前記縦材拘束壁は、前記折り片の底辺から横材の厚さに対応する間隔をあけて配置され、前記本体は、前記直交する２本の横材と縦材との接合部において、前記一方の折り片が直交する２本の横材の一方と縦材によって形成される平面内にあり、前記他方の折り片が直交する２本の横材の他方と縦材によって形成される平面内にあるように配置され、前記横材が対応する前記折り片の前記横材拘束壁および前記縦材拘束壁の下端との間に配置されるとともに、前記横材拘束壁が前記横材の対応する面に当接し、前記縦材拘束壁が前記縦材の対応する面に当接した状態で、前記横材および前記縦材に固定されるようになっており、前記本体の両方の折り片のそれぞれには、前記横材を被う領域に、１つの、または前記横材の長さ方向に間隔をあけて少なくとも２つの第１の貫通穴が形成され、前記第１の貫通穴には、前記本体を前記横材に固定するためのボルトが通されるようになっており、前記縦材拘束壁には、１つの、または前記縦材の長さ方向に間隔をあけて少なくとも２つの第２の貫通穴が形成され、前記第２の貫通穴には、前記本体を前記縦材に固定するためのボルトが通されるようになっていることを特徴とする木造住宅用補強金物を構成したものである。
【００１２】
第３発明の構成において、好ましくは、前記木造住宅用補強金物は、単一の金属板を折り曲げて形成したものからなり、前記金属板は、前記実質上台形または前記実質上三角形の形状を有し、その台形の上底から下底に下した垂線に沿って、またはその三角形の頂点から底辺に下した垂線に沿って直角に折り曲げられる第１の部分と、前記第１の部分における前記垂線に関する一方の折り部分の斜辺に接続し、前記斜辺に沿って前記一方の折り部分の外側面に重なり合うように折り曲げられる第２の部分と、前記第１の部分における前記垂線に関する他方の折り部分の斜辺に接続し、前記斜辺に沿って前記他方の折り部分の外側面に重なり合うように折り曲げられる第３の部分と、前記第２の部分および前記第３の部分の少なくとも一方の外縁に接続し、前記第２の部分および前記第３の部分の少なくとも一方が折り曲げられたとき、関係する前記外縁に沿って、重なり合わされた前記折り部分の外側面から起立するように折り曲げられて前記縦材拘束壁を形成する第４の部分と、前記第１の部分の両方の折り部分のそれぞれの底辺に接続し、前記折り部分の底辺に沿って前記折り部分の外側面から起立するように折り曲げられて前記横材拘束壁を形成する第５の部分とを有し、前記垂線に沿って折り曲げられた第１の部分、および前記一方の折り部分の外側面に折り曲げられた第２の部分および前記他方の折り部分の外側面に折り曲げられた第３の部分が前記本体を形成するようになっている。
【００１３】
また、上記課題を解決するため、第４発明は、木造住宅における直交する２本の材木の接合部に固定して使用する補強金物であって、実質上直角三角形の形状を有する平板状本体と、前記本体の底辺に前記本体の裏面側に起立して設けられた第１の固定壁と、前記本体の底辺に直交する辺に前記本体の裏面側に起立して設けられた第２の固定壁とを備え、前記本体の斜辺が直交する２本の材木の間に筋交状に配置されるとともに、前記第１の固定壁の内側面が前記２本の材木の一方の一側面に当接し、かつ前記第２の固定壁の外側面が前記２本の材木の他方の一側面に当接した状態で、前記２本の材木に固定されるようになっており、前記本体の前記一方の材木を被う領域には、１つの、または前記一方の材木の長さ方向に間隔をあけて少なくとも２つの第１の貫通穴が形成され、前記第１の貫通穴には、前記本体を前記一方の材木に固定するためのボルトが通されるようになっており、前記第２の固定壁には、１つの、または前記他方の材木の長さ方向に間隔をあけて少なくとも２つの第２の貫通穴が形成され、前記第２の貫通穴には、前記第２の固定壁を前記他方の材木に固定するためのボルトが通されるようになっていることを特徴とする木造住宅用補強金物を構成したものである。
【発明の効果】
【００１４】
本発明によれば、木造住宅において、筋交を取り去るとともに、横材と縦材との接合部を強固に固定することによって、接合部に十分な耐震強度を付与し、木造住宅の耐震性を向上させることができる。しかも、本発明によれば、低コストで補強金物を提供し、また、木造住宅の耐震補強工事を低コストで施工することが可能となる。
【発明を実施するための最良の形態】
【００１５】
以下、添付図面を参照しながら、本発明の好ましい実施例について説明する。  図１（Ａ）は、本発明の１実施例による木造住宅用補強金物の裏面側から見た斜視図であり、図１（Ｂ）は、図１（Ａ）の補強金物を展開した状態を示した平面図であり、図２は、図１の補強金物の取り付け状態を示した斜視図である。この実施例の補強金物は、図２に示されるように、木造住宅における縦材５および横材６の接合部、とりわけ、木造住宅の外壁中間部における土台（横材）と柱（縦材）との接合部に固定して使用するのに適したものである。
【００１６】
図１（Ａ）および図２に示されるように、本発明の木造住宅用補強金物は、実質上台形または実質上三角形の形状、この実施例では等脚台形の形状を有する平板状本体１と、本体１の裏面に、互いに縦材５の厚さに対応する間隔をあけて起立して設けられた一対の垂直な縦材拘束壁２、３と、本体１の底辺に本体１の裏面側に起立して設けられた垂直な横材拘束壁４とを備えている。
【００１７】
一対の縦材拘束壁２、３は、その本体１の裏面上への射影が、本体１の底辺に対して垂直方向に本体１の底辺から少なくとも横材６の厚さに対応する間隔をあけてのびている。そして、図２に示されるように、一対の縦材拘束壁２、３の間に縦材５が嵌め込まれるとともに、一対の縦材拘束壁２、３の下端および横材拘束壁４の間に横材６が配置されかつ横材拘束壁４が横材６の対応する面（底面）に当接した状態で、縦材５および横材６に固定されるようになっている。
【００１８】
そして、本体１の横材６を被う領域には、１つの、または横材６の長さ方向に間隔をあけて少なくとも２つの第１の貫通穴７ａ〜７ｄが形成され、第１の貫通穴７ａ〜７ｄには、本体１を横材６に固定するためのボルト８が通されるようになっている。また、一対の縦材拘束壁２、３には、それぞれ、１つの、または縦材の長さ方向に間隔をあけて少なくとも２つの第２の貫通穴９ａ、９ｂ；１０ａ、１０ｂが、一対の縦材拘束壁２、３の相互間で整合するように形成され、第２の貫通穴９ａ、９ｂ；１０ａ、１０ｂには、一対の縦材拘束壁２、３を縦材５に固定するためのボルト１１が通されるようになっている。
【００１９】
好ましくは、本発明の補強金物は、単一の金属板を折り曲げて形成したものからなっている。この金属板は、好ましくは２〜３ｍｍ厚の鉄板またはステンレス板からなり、図１（Ｂ）に示されるように、実質上台形または実質上三角形の形状、この実施例では、等脚台形の形状の第１の部分１５と、第１の部分１５の一対の斜辺１５ａ、１５ｂのそれぞれにその全長にわたって接続され、関係する斜辺１５、１５ｂに沿って第１の部分１５の裏面に重なり合うように折り曲げられる第２の部分１６ａ、１６ｂを有している。さらに、第２の部分１６ａ、１６ｂの外縁１７ａ、１７ｂには第３の部分１８ａ、１８ｂが接続され、第２の部分１６ａ、１６ｂが折り曲げられたとき、関係する第２の部分１６ａ、１６ｂの外縁１７ａ、１７ｂに沿って第１の部分１５の裏面から起立するように折り曲げられて縦材拘束壁２、３を形成するようになっている。さらに、第１の部分１５の底辺１９には第４の部分１９が接続され、底辺１９に沿って第１の部分１５の裏面から起立するように折り曲げられて横材拘束壁４を形成するようになっている。
そして、第１の部分１５および第１の部分１５の裏面に重なり合うように折り曲げられた第２の部分１６ａ、１６ｂが本体１を形成するようになっている。なお、折り曲げられて重なり合わされた部分は、互いに溶接等によって接合されるようにしてもよい。
【００２０】
この実施例では、第２の部分１６ａ、１６ｂは第１の部分１５の斜辺１５ａ、１５ｂの全長にわたって設けられるが、第２の部分１６ａ、１６ｂを、第１の部分１５の斜辺１５ａ、１５ｂの一部分に設けてもよい。
図１０は、第２の部分が第１の部分の斜辺の一部分に設けられた変形例を示した図であり、（Ａ）は、補強金物の裏面側から見た斜視図であり、（Ｂ）は、補強金物を展開した状態を示した平面図である。なお、図１０において、図１のものと同一の構成要素には同一の番号を付し、説明を省略する。図１０に示されるように、第２の部分１６ａ’、１６ｂ’が、第１の部分１５の斜辺１５ａ、１５ｂの一部分に設けられている。そして、第２の部分１６ａ、１６ｂの外縁１７ａ、１７ｂには第３の部分１８ａ、１８ｂが接続され、第２の部分１６ａ、１６ｂが折り曲げられたとき、関係する第２の部分１６ａ、１６ｂの外縁１７ａ、１７ｂに沿って第１の部分１５の裏面から起立するように折り曲げられて縦材拘束壁２、３を形成するようになっている。また、第１の部分１５の底辺１９には第４の部分１９が接続され、底辺１９に沿って第１の部分１５の裏面から起立するように折り曲げられて横材拘束壁４を形成するようになっている。さらに、この例では、第１の部分１５における、縦材拘束壁２、３の間にある領域には、間隔をあけて複数の貫通穴２９ａ〜２９ｄが形成され、本体１を縦材４に固定するためのボルト等が通されるようになっている。
【００２１】
次に、この補強金物の使用方法について説明する。図２に示されるように、本発明の補強金具が、一対の縦材拘束壁２、３の間に縦材（柱）５が嵌め込まれるとともに、一対の縦材拘束壁２、３の下端および横材拘束壁４の間に横材（土台）６が配置されかつ横材拘束壁４が横材６の対応する面（底面）に当接するように配置される。そして、横材６に、本体１の第１の貫通穴７ａ〜７ｄに整合する貫通穴が形成された後、本体１が、ボルト８およびナット１２によって横材６に固定される。さらに、縦材５に、一対の縦材拘束壁２、３の第２の貫通穴９ａ、９ｂ；１０ａ、１０ｂに整合する貫通穴が形成された後、縦材拘束壁２、３が、ボルト１１およびナット１３によって縦材５に固定される。
【００２２】
こうして、縦材５および横材６の接合部において、縦材５が台形状の本体１に一体化された一対の縦材拘束壁２、３の間に嵌め込まれ、かつ、横材６における縦材５との接合部と反対側の面が、本体１に一体化された横材拘束壁４に当接した状態で、本発明の補強金物が、縦材５または横材６を貫通するボルトおよびナットによって強固に固定されるので、地震発生時の横揺れによって、縦材５を横材６から垂直に引き抜き、または縦材５を横材６に対して倒そうとする力が生じても、接合された縦材５および横材６は簡単には分離することがなく、接合部に所望の耐震強度が付与される。この場合、特に、補強金物の全体を台形状（三角形状）としているので、補強金物を縦材５および横材６の接合部に固定したときに、その台形（三角形）の面内において底辺に対する垂線に直角な方向に作用する力（縦材５を倒そうとする力）に対する大きな剛性が得られる。さらには、単一の金属板を折り曲げて全体として台形状（三角形状）とし、かつその一対の斜辺部分を折り曲げによる二重構造としているので、補強金物は、縦材５および横材６の接合部に固定された場合に、縦材５を横材６に対して両側に倒そうとする力に対してさらに大きな剛性を有し、筋交が奏する以上の補強効果を生じさせ得る。その結果、筋交を取り去ることができると同時に、木造住宅の耐震性も従来より向上させることができる。
そして、図３に示されるように、木造住宅の縦材５および横材６によって形成された枠構造から筋交を取り去り、その代わりに枠構造の４つの角部分に本発明の補強金物を固定することにより、地震発生時の横揺れによって生じる枠構造を変形させようとする力に対して、縦材５および横材６の接合部は分離されることがなく、木造住宅の耐震性が従来よりも著しく向上するとともに、木造住宅に広い窓を多数設けることが可能となる。
また、本発明による補強金物は、構造が簡単であるから低コストで製造することができ、しかも取付けが容易であるから低コストでの施工が可能である。本発明による補強金物は、また、木造住宅の新築時、あるいは増改築時のいずれにおいても用いることができる。
【００２３】
なお、この実施例では、補強金物を単一の金属板を折り曲げることによって形成するようにしたが、本発明の補強金物の形成法はこれに限定されるものではなく、例えば、実質上台形または実質上三角形の形状の金属板から本体を形成し、その裏面に、一対の金属板からなる縦材拘束壁および金属板からなる横材拘束壁を溶接によって接合することによって補強金物を形成することもできるし、本体および横材拘束壁を単一の金属板を折り曲げることによって形成した後、本体裏面に一対の金属板からなる縦材拘束壁を溶接によって接合することによって補強金物を形成することもできる。これらの変形例においては、本体の各斜辺をその全長にわたって折り曲げるようにすると、本体の剛性をより高めることができる。
【００２４】
図４（Ａ）は、本発明の別の実施例による木造住宅用補強金物の裏面側から見た斜視図であり、図４（Ｂ）は、図４（Ａ）の補強金物を展開した状態を示した平面図であり、図５は、図４の補強金物の取り付け状態を示した斜視図である。この実施例による補強金物は、図５に示されるように、木造住宅の角部分であって、柱（縦材）と直交する２本の土台（横材）との接合部に外側から固定して使用するのに適したものである。
【００２５】
図４（Ａ）および図５に示されるように、本発明の木造住宅用補強金物は、実質上台形または実質上三角形の形状を有し、その台形の上底から下底に下した垂線またはその三角形の頂点から底辺に下した垂線に沿って直角に折り曲げられた平板状の本体３０を有している。この実施例では、本体３０は、等脚台形の形状を有し、台形の上底３０ａの中点から下底３０ｂに下した垂線３０ｃに沿って直角に折り曲げられている。そして、本体３０の一方の折り片３１ａの内側面に、他方の折り片３１ｂから縦材３２の厚さに対応する間隔をあけて、他方の折り片３１ｂに平行に起立して垂直な縦材拘束壁３４が設けられ、本体３０の両方の折り片３１ａ、３１ｂのそれぞれの底辺３０ｂに、折り片３１ａ、３１ｂの内側面側に起立して垂直な横材拘束壁３５ａ、３５ｂが設けられている。縦材拘束壁３４は、本体３０の底辺３０ｂから少なくとも横材３３ａ、３３ｂの厚さに対応する間隔をあけて配置されている。
【００２６】
この補強金物は、図５に示されるように、木造住宅の角部分であって、縦材３２と直交する２本の横材３３ａ、３３ｂとの接合部の外側において、一方の折り片３１ａが直交する２本の横材の一方３３ａと縦材３２によって形成される平面内にあり、他方の折り片３１ｂが直交する２本の横材の他方３３ｂと縦材３２によって形成される平面内にあるように配置され、さらに、本体の他方の折り片３１ｂおよび縦材拘束壁３４の間に縦材３２が嵌め込まれ、一方および他方の折り片３１ａ、３１ｂのそれぞれの横材拘束壁３５ａ、３５ｂおよび縦材拘束壁３４の下端の間に関係する横材３３ａ、３３ｂが配置され、横材拘束壁３４が関係する横材３３ａ、３３ｂの対応する面（底面）に当接した状態で、縦材３２および横材３３ａ、３３ｂに固定されるようになっている。そして、本体の両方の折り片３１ａ、３１ｂのそれぞれには、横材３３ａ、３３ｂを被う領域に、１つの、または横材３３ａ、３３ｂの長さ方向に間隔をあけて少なくとも２つの第１の貫通穴３６ａ〜３６ｄが形成され、第１の貫通穴３６ａ〜３６ｄには、本体３０を横材３３ａ、３３ｂに固定するためのボルトが通されるようになっており、縦材拘束壁３４には、１つの、または縦材の長さ方向に間隔をあけて少なくとも２つの第２の貫通穴３７ａ、３７ｂが形成され、本体の他方の折り片３１ｂには、縦材拘束壁３４の第２の貫通穴３７ａ、３７ｂに整合する第３の貫通穴３８ａ、３８ｂが形成され、対をなす第２および第３の貫通穴３７ａ、３８ａ；３７ｂ、３８ｂには、本体３０を縦材３２に固定するためのボルトが通されるようになっている。
【００２７】
本発明の補強金物は、好ましくは、単一の金属板を折り曲げて形成したものからなっている。この金属板は、好ましくは２〜３ｍｍ厚の鉄板またはステンレス板からなり、図４（Ｂ）に示されるように、実質上台形または前記実質上三角形の形状、この実施例では等脚台形の形状を有し、その台形の上底３０ａの中点から下底３０ｂに下した垂線３０ｃに沿って直角に折り曲げられる第１の部分４０と、第１の部分４０における垂線３０ｃに関する一方の折り部分４１ａの斜辺４２ａに接続しかつ斜辺４２ａの全長にわたってのび、斜辺４２ａに沿って一方の折り部分４１ａの内側面に重なり合うように折り曲げられる第２の部分４３と、第１の部分４０における垂線３０ｃに関する他方の折り部分４１ｂの斜辺４２ｂに接続しかつ斜辺４２ｂの全長にわたってのび、斜辺４２ｂに沿って他方の折り部分４１ｂの内側面に重なり合うように折り曲げられる第３の部分４４を有している。
【００２８】
さらに、第２の部分の外縁４５には第４の部分４６が接続され、第２の部分４３が折り曲げられたとき、関係する外縁４５に沿って、他方の折り部分４１ａの内側面から起立するように折り曲げられて縦材拘束壁３４を形成するようになっている。また、第１の部分４０の両方の折り部分４１ａ、４１ｂのそれぞれの底辺３０ｂには第５の部分４７ａ、４７ｂが接続され、折り部分４１ａ、４１ｂの底辺３０ｂに沿って折り部分４１ａ、４１ｂの内側面から起立するように折り曲げられて横材拘束壁３５ａ、３５ｂを形成するようになってのびている。
そして、垂線３０ｃに沿って折り曲げられた第１の部分４０および一方の折り部分４１ａの内側面に折り曲げられた第２の部分４３および他方の折り部分４１ｂの内側面に折り曲げられた第３の部分４４が本体３０を形成するようになっている。なお、折り曲げられて重なり合わされた部分は、互いに溶接等によって接合されるようにしてもよい。
この実施例では、第２の部分４３および第３の部分４４を関係する折り部分４１ａ、４１ｂの斜辺４２ａ、４２ｂの全長にわたって設けているが、第２および第３の部分４３、４４を斜辺４２ａ、４２ｂの一部分に設けてもよい。
【００２９】
次に、この補強金物の使用方法について説明する。図５に示されるように、本発明の補強金物が、木造住宅の角部分の外側において、一方の折り片３１ａが直交する２本の横材（土台）の一方３３ａと縦材（柱）３２によって形成される平面内にあり、他方の折り片３１ｂが直交する２本の横材の他方３３ｂと縦材３２によって形成される平面内にあり、さらに、本体の他方の折り片３１ｂおよび縦材拘束壁３４の間に縦材３２が嵌め込まれ、一方および他方の折り片３１ａ、３１ｂのそれぞれの横材拘束壁３５ａ、３５ｂおよび縦材拘束壁３４の下端の間に関係する横材３３ａ、３３ｂが配置され、横材拘束壁３４が関係する横材３３ａ、３３ｂの対応する面（底面）に当接するように配置される。そして、横材３３ａ、３３ｂに、本体３０の各折り片３１ａ、３１ｂの第１の貫通穴３６ａ〜３６ｄに整合する貫通穴が形成された後、本体３０が、ボルト４８および（図示されない）ナットによって横材３３ａ、３３ｂに固定される。さらに、縦材３２に、補強金物の対をなす第２および第３の貫通穴３７ａ、３８ａ；３７ｂ、３８ｂのそれぞれに整合する貫通穴が形成された後、本体３０が、ボルト４８および（図示されない）ナットによって縦材３２に固定される。
【００３０】
こうして、２本の直交する横材３３ａ、３３ｂと縦材３２との接合部において、縦材３２が、直角に折り曲げられた台形状の本体３０の一方の折り片３１ａに一体化された縦材拘束壁３４の間に嵌め込まれ、かつ、各横材３３ａ、３３ｂにおける縦材３２との接合部と反対側の面が、本体３０に一体化された横材拘束壁３４に当接した状態で、本発明の補強金物が、縦材３２または横材３３ａ、３３ｂを貫通するボルトおよびナットによって強固に固定されるので、地震発生時の横揺れによって、縦材３２を横材３３ａ、３３ｂから垂直に引き抜き、あるいは縦材３２を横材３３ａ、３３ｂに対して倒そうとする力が生じても、縦材３２および横材３３ａ、３３ｂの接合部は簡単には分離することがない。この場合、単一の金属板を折り曲げて全体として台形状とし、かつその一対の斜辺部分を折り曲げによる二重構造としているので、補強金物は、縦材３２および横材３３ａ、３３ｂの接合部に固定されたとき、縦材５を横材６に対して倒そうとする力に対する大きな剛性を有し、筋交以上の補強効果を生じさせ得る。その結果、筋交を取り去ることができると同時に、木造住宅の耐震性も従来より向上させることができる。
【００３１】
図６（Ａ）は、本発明のさらに別の実施例による木造住宅用補強金物の裏面側から見た斜視図であり、図６（Ｂ）は、図６（Ａ）の補強金物を展開した状態を示した平面図であり、図７は、図６の補強金物の取り付け状態を示した斜視図である。図７に示されるように、この実施例による補強金物は、木造住宅における、柱（縦材）と直交する２本の土台（横材）との接合部に内側から固定して使用するのに適したものである。
【００３２】
図６（Ａ）および図７を参照して、本発明の補強金物は、実質上台形または実質上三角形の形状を有し、その台形の上底から下底に下した垂線またはその三角形の頂点から底辺に下した垂線に沿って直角に折り曲げられた平板状の本体５０を有している。この実施例では、本体５０は、二等辺三角形状を有し、その三角形の頂点５０ａから底辺５０ｂに下した垂線５０ｃに沿って直角に折り曲げられている。
そして、本体５０の２つの折り片５１ａ、５１ｂのうちの少なくとも一方、この実施例では両方に、垂線５０ｃに沿って、各折り片５１ａ、５１ｂの外側面側に起立する垂直な縦材拘束壁５２ａ、５２ｂが設けられている。さらに、本体５０の各折り片５１ａ、５１ｂの底辺５０ｂにｈａ、折り片５１ａ、５１ｂの外側面側に起立する垂直な横材拘束壁５３ａ、５３ｂが設けられている。縦材拘束壁５２ａ、５２ｂは、折り片５１ａ、５１ｂの底辺５０ｂから横材５４ａ、５４ｂの厚さに対応する間隔をあけて配置されている。
【００３３】
この補強金物は、図７に示されるように、縦材５５と直交する２本の横材５４ａ、５４ｂとの接合部の内側において、縦材５５と直交する２本の横材５４ａ、５４ｂとの接合部の内側において、一方の折り片５１ａが直交する２本の横材の一方５４ａと縦材５５によって形成される平面内にあり、他方の折り片５１ｂが直交する２本の横材の他方５４ｂと縦材５５によって形成される平面内にあり、さらに、横材５４ａ、５４ｂが対応する折り片５１ａ、５１ｂの横材拘束壁５３ａ、５３ｂおよび縦材拘束壁５２ａ、５２ｂの下端との間に配置されるとともに、横材拘束壁５３ａ、５３ｂが横材５４ａ、５４ｂの対応する面に当接し、縦材拘束壁５２ａ、５２ｂが縦材５５の対応する面に当接するように配置された状態で、横材５４ａ、５４ｂおよび縦材５５に固定されるようになっている。そして、本体５０の各折り片５１ａ、５１ｂには、横材５４ａ、ｌ５４ｂを被う領域に、１つの、または横材５４ａ、ｌ５４ｂの長さ方向に間隔をあけて少なくとも２つの第１の貫通穴５６ａ〜５６ｄが形成され、第１の貫通穴５６ａ〜５６ｄには、本体５０を横材５４ａ、５４ｂに固定するためのボルトが通されるようになっており、縦材拘束壁５２ａ、５２ｂには、１つの、縦材５５の長さ方向に間隔をあけて少なくとも２つの第２の貫通穴５７ａ、５７ｂ；５８ａ、５８ｂが形成され、第２の貫通穴５７ａ、５７ｂ；５８ａ、５８ｂには、本体５０を縦材５５に固定するためのボルトが通されるようになっている。
【００３４】
本発明の補強金物は、好ましくは、単一の金属板を折り曲げて形成したものからなっている。この金属板は、好ましくは２〜３ｍｍ厚の鉄板またはステンレス板からなり、実質上台形または実質上三角形の形状を有し、その台形の上底から下底に下した垂線に沿って、またはその三角形の頂点から底辺に下した垂線に沿って直角に折り曲げられる第１の部分を有している。この実施例では、第１の部分６０は、図６（Ｂ）に示されるように、二等辺三角形の形状を有し、その三角形の頂点５０ａから底辺５０ｂに下した垂線５０ｃに沿って直角に折り曲げられるようになっている。そして、第１の部分６０における垂線５０ｃに関する一方の折り部分６１ａの斜辺６２ａには、斜辺６２ａに沿って一方の折り部分６１ａの外側面に重なり合うように折り曲げられる第２の部分６３が接続しかつ斜辺６２ａの全長にわたってのびており、第１の部分６０における垂線５０ｃに関する他方の折り部分６１ｂの斜辺６２ｂには、斜辺６２ｂに沿って他方の折り部分６１ｂの外側面に重なり合うように折り曲げられる第３の部分６４が接続しかつ斜辺６２ｂの全長にわたってのびている。さらに、第２の部分６３および第３の部分６４の少なくとも一方、この実施例では両方の外縁６５、６６には、第４の部分６７ａ、６７ｂが接続し、第２の部分６３および第３の部分６４が折り曲げられたとき、関係する外縁６５、６６に沿って、重なり合わされる折り部分６１ａ、６１ｂの外側面から起立するように折り曲げられて縦材拘束壁５２ａ、５２ｂを形成するようになっている。また、第１の部分６０の各折り部分６１ａ、６１ｂの底辺５０ｂには第５の部分６８ａ、６８ｂが接続し、底辺５０ｂに沿って折り部分６１ａ、６１ｂの外側面から起立するように折り曲げられて横材拘束壁５３ａ、５３ｂを形成するようになっている。
そして、垂線５０ｃに沿って折り曲げられた第１の部分６０、および一方の折り部分６１ａの外側面に折り曲げられた第２の部分６３および他方の折り部分６１ｂの外側面に折り曲げられた第３の部分６４が本体５０を形成するようになっている。
この実施例では、第２の部分６３および第３の部分６４を、関係する折り部分６１ａ、６１ｂの斜辺６２ａ、６２ｂの全長にわたって設けているが、第２および第３の部分６３、６４を斜辺６２ａ、６２ｂの一部分に設けてもよい。
【００３５】
次に、この補強金物の使用方法について説明する。図７に示されるように、本発明の補強金物が、縦材（柱）５５と直交する２本の横材（土台）５４ａ、５４ｂとの接合部の内側において、一方の折り片５１ａが直交する２本の横材の一方５４ａと縦材５５によって形成される平面内にあり、他方の折り片５１ｂが直交する２本の横材の他方５４ｂと縦材５５によって形成される平面内にあり、さらに、横材５４ａ、５４ｂが対応する折り片５１ａ、５１ｂの横材拘束壁５３ａ、５３ｂおよび縦材拘束壁５２ａ、５２ｂの下端との間に配置されるとともに、横材拘束壁５３ａ、５３ｂが横材５４ａ、５４ｂの対応する面（底面）に当接し、縦材拘束壁５２ａ、５２ｂが縦材５５の対応する面（側面）に当接するように配置される。そして、横材５４ａ、５４ｂに、本体５０の各折り片５１ａ、５１ｂの第１の貫通穴５６ａ〜５６ｄに整合する貫通穴が形成された後、本体５０が、ボルト５９および（図示されない）ナットによって横材５４ａ、５４ｂに固定される。さらに、縦材５５に、縦材拘束壁５２ａ、５２ｂの第２の貫通穴５７ａ、５７ｂ；５８ａ、５８ｂのそれぞれに整合する貫通穴が形成された後、本体５０がボルト５９および（図示されない）ナットによって縦材５５に固定される。
【００３６】
この実施例の場合にも図４〜図５の実施例の場合と同様の効果が得られる。加えて、この実施例によれば、木造住宅における直交する２本の横材と縦材との接合部に補強金物を内側から固定することができるので、例えば、木造住宅の角部分を屋内側から補強することが可能となり、改築時の、隣接する住宅間にスペースの余裕がなく住宅外側からの施工が困難な場合に適したものである。
【００３７】
また、図６〜図７の実施例では、補強金物を、土台（横材）および柱（縦材）の接合部に固定して使用するようにしているが、この実施例の補強金物を、図８に示されるように、横架材（横材）および通し柱（縦材）の接合部に固定して使用するようにすることもできる。図８を参照して、この実施例の場合には、図６〜図７の実施例と異なり、単一の縦材拘束壁５２ｂが、本体５０の折り片の一方にのみ、この実施例では折り片５１ｂにのみ設けられる。加えて、各折り片５１ａ、５１ｂには、付加的な貫通穴６９ａが設けられ、異なる厚さの横架材に対応可能となっている。
そして、補強金物は、木造住宅の内部であって、直交する２本の横架材７１ａ、７１ｂと通し柱７０との接合部の内側において、横材拘束壁５３ａ、５３ｂが直交する横架材７１ａ、７１ｂの上面に当接し、かつ縦材拘束壁５２ｂが通し柱７０の対応する側面に当接するように配置され、横架材７１ａ、７１ｂには、本体５０の折り片５１ａ、５１ｂの第１の貫通穴および付加的な貫通穴６９ａに対応する位置に貫通穴が形成され、本体５０がボルト７２および（図示されない）ナットによって横架材７１ａ、７１ｂに固定される。さらに、通し柱７０には、縦材拘束壁５２ｂの第２の貫通穴に対応する位置に貫通穴が形成され、本体５０が（図示されない）ボルトおよびナットによって通し柱７０に固定される。
【００３８】
図１１は、本発明のさらに別の実施例による木造住宅用補強金物を示した図であり、（Ａ）は斜視図であり、（Ｂ）は補強金物を取り付けた状態を示した図である。この実施例による補強金物は、木造住宅における直交する２本の材木の接合部に固定して使用するのに適したものである。
図１１（Ａ）に示されるように、本発明の補強金物は、実質上直角三角形の形状を有する平板状本体２０と、本体２０の底辺２０ａに本体２０の裏面側に起立して設けられた第１の固定壁２１と、本体２０の底辺に直交する辺２０ｂに本体２０の裏面側に起立して設けられた第２の固定壁２２とを備えている。
そして、図１１（Ｂ）に示されるように、本体２０の斜辺２０ｃが直交する２本の材木（この実施例では、通し柱２８と梁２７）の間に筋交状に配置されるとともに、第１の固定壁２１の内側面が２本の材木の一方（梁２７）の一側面に当接し、かつ第２の固定壁２２の外側面が２本の材木の他方（通し柱２８）の一側面に当接した状態で、２本の材木（梁２７および通し柱２８）に固定されるようになっている。なお、図１１（Ｂ）では、２本の材木の接合部に本発明の補強金物が一対固定されている。
【００３９】
さらに、本体２０の一方の材木（梁２７）を被う領域には、一方の材木（梁２７）の長さ方向に間隔をあけて少なくとも２つの第１の貫通穴２３ａ、２３ｂが形成され、第１の貫通穴２３ａ、２３ｂには、本体２０を一方の材木（梁２７）に固定するためのボルト２６ａ、２６ｂが通されるようになっている。また、第２の固定壁２２には、他方の材木（通し柱２８）の長さ方向に間隔をあけて少なくとも２つの第２の貫通穴２４ａ〜２４ｄが形成され、第２の貫通穴２４ａ〜２４ｄには、第２の固定壁２２を他方の材木（通し柱２８）に固定するためのボルト２５ａ〜２５ｄが通されるようになっている。
この補強金物は、図１１（Ｂ）に示されるように、本体２０の斜辺２０ｃが直交する２本の材木（通し柱２８と梁２７）の間に筋交状に配置されるとともに、第１の固定壁２１の内側面が一方の材木（梁２７）の一側面に当接し、かつ第２の固定壁２２の外側面が２本の他方の材木（通し柱２８）の一側面に当接するように配置される。そして、一方の材木２７に、第１の貫通穴２３ａ、２３ｂに整合する貫通穴が形成された後、本体２０がボルト２６ａ、２６ｂおよび（図示されない）ナットによって一方の材木２７に固定される。また、他方の材木２８に、第２の貫通穴２４ａ〜２４ｄに整合する貫通穴が形成された後、本体２０がボルト２５ａ〜２５ｄおよび（図示されない）ナットによって他方の材木に固定される。
この実施例による補強金物の補強作用は上述した実施例のものより劣るが、補強金物自体の軽量化を図ることができ、よって木造住宅の２階や３階部分の構造の補強に使用することができる。
【図面の簡単な説明】
【００４０】
【図１】本発明の１実施例による木造住宅用補強金物を示した図であり、（Ａ）は、補強金物の裏面側から見た斜視図であり、（Ｂ）は、補強金物を展開した状態を示した平面図である。
【図２】図１の補強金物の取り付け状態を示した斜視図である。
【図３】図１の補強金物を、木造住宅の縦材および横材によって形成された枠構造の四隅に適用した状態を示した図である。
【図４】本発明の別の実施例による木造住宅用補強金物を示した図であり、（Ａ）は、補強金物の裏面側から見た斜視図であり、（Ｂ）は、補強金物を展開した状態を示した平面図である。
【図５】図４の補強金物の取り付け状態を示した斜視図である。
【図６】本発明のさらに別の実施例による木造住宅用補強金物を示した図であり、（Ａ）は、補強金物の裏面側から見た斜視図であり、（Ｂ）は、補強金物を展開した状態を示した平面図である。
【図７】図６の補強金物を木造住宅の土台と柱との接合部に取り付けた状態を示した斜視図である。
【図８】図６の補強金物を木造住宅の横架材と通し柱との接合部に取り付けた状態を示した斜視図である。
【図９】木造住宅において筋交の代わりに使用される従来の補強手段を示した図である。
【図１０】図１の補強金物の変形例を示した図であり、（Ａ）は、補強金物の裏面側から見た斜視図であり、（Ｂ）は、補強金物を展開した状態を示した平面図である。
【図１１】本発明のさらに別の実施例による木造住宅用補強金物を示した図であり、（Ａ）は斜視図であり、（Ｂ）は補強金物を通し柱と梁の接合部に取り付けた状態を示した図である。
【符号の説明】
【００４１】
１  本体
２、３  縦材拘束壁
４  横材拘束壁
５  縦材
６  横材
７ａ〜７ｄ  第１の貫通穴
８  ボルト
９ａ、９ｂ、１０ａ、１０ｂ  第２の貫通穴
１１  ボルト
１２、１３  ナット
【図１】
2005009292.tif 000003
【図２】
2005009292.tif 000004
【図３】
2005009292.tif 000005
【図４】
2005009292.tif 000006
【図５】
2005009292.tif 000007
【図６】
2005009292.tif 000008
【図７】
2005009292.tif 000009
【図８】
2005009292.tif 000010
【図９】
2005009292.tif 000011
【図１０】
2005009292.tif 000012
【図１１】
2005009292.tif 000013